(57)【要約】【課題】  アワビへの取付変更を防止して消費者への信用を確保するアワビ用のタグを提供する。【解決手段】  アワビの貝殻Ａの縁部に係止可能な係止部２と、該係止部２に移動可能に装着したカバー部３と、該カバー部３に貼着し該カバー部３の移動に伴って破れる表示部４とからなり、前記係止部２は内面に係止突起２ｂを有するコ字状に曲折形成した板状体からなると共に、前記カバー部３は、前記係止部２が移動可能に介入されるコ字状に曲折形成した外側板状体からなり、前記外側板状体の前板部３ａに前記カバー部３の移動方向にスリット３ｂを形成すると共に、前記係止部２の前板部２ａに、該スリット３ｂ内を貫通して前記表示部４を貫通する爪片２ｃを突設した。【選択図】        図１
2006078504.tif 000002
【特許請求の範囲】
【請求項１】
アワビの貝殻の縁部に係止可能な係止部と、該係止部に移動可能に装着したカバー部と、該カバー部に貼着し該カバー部の移動に伴って破れる表示部とからなるアワビ用タグ。
【請求項２】
前記係止部は内面に係止突起を有するコ字状に曲折形成した板状体からなる請求項１に記載のアワビ用タグ。
【請求項３】
前記カバー部は、前記係止部が移動可能に介入されるコ字状に曲折形成した外側板状体からなる請求項２に記載のアワビ用タグ。
【請求項４】
前記外側板状体の前板部に前記カバー部の移動方向にスリットを形成すると共に、前記係止部の前板部に、該スリット内を貫通して前記表示部を貫通する爪片を突設した請求項３に記載のアワビ用タグ。
【請求項５】
前記外側板状体の前板部に、前記表示部を貫通する複数の突片を突設した請求項３又は請求項４に記載のアワビ用タグ。
【請求項６】
前記突片の頭部を茸のかさ状に膨出変形させて前記表示部を係止するようにした請求項５に記載のアワビ用タグ。
【発明の詳細な説明】
【技術分野】
【０００１】
本発明はアワビの産地等を表示するためのタグに関する。
【背景技術】
【０００２】
従来冷凍魚介類用のタグとして、アルミ・ブリキ・硬質合成樹脂片等を二つ折りに折曲して表示片を形成すると共に該表示片の開放端部に、係止爪及び該係止爪が嵌入する係合爪をそれぞれ突設して構成したものが知られている（例えば特許文献１参照。）。
【特許文献１】実開昭５９−１４９１７２号公報
【発明の開示】
【発明が解決しようとする課題】
【０００３】
この従来のタグを、その開放端部において例えばアワビの貝殻の縁部に介入して係止爪及び係合爪により該アワビに取り付けていたが、該タグを該アワビから外して他のアワビに取り付けることが可能であり、かくて、アワビの出荷後に適正な生産地を表示しているタグを外して他の生産地のアワビに取り付けて消費者の信用を害するおそれがある等の問題点があった。
【０００４】
本発明はこのような問題点を解消し、タグを外して他のアワビに取り付けたことが明瞭に判明しタグの取付け変更を防止して消費者の信用を確保するアワビ用タグを提供することを目的としている。
【課題を解決するための手段】
【０００５】
この目的を達成すべく本発明はアワビの貝殻の縁部に係止可能な係止部と、該係止部に移動可能に装着したカバー部と、該カバー部に貼着し該カバー部の移動に伴って破れる表示部とからなる。
【発明の効果】
【０００６】
本発明によればタグの取付け変更がその表示部の部分的な切除により明らかになるので、タグの取付け変更を防止してアワビの真正表示を確保し、消費者の信用を確保する効果を有する。
【発明を実施するための最良の形態】
【０００７】
本発明の最良の形態の実施例を以下に示す。
【実施例１】
【０００８】
本発明の実施例１を図面に従って説明する。
【０００９】
１はアワビ用のタグを示し、該タグ１は係止部２とカバー部３と表示部４とからなる。
【００１０】
そして該係止部２は、例えばステンレス等の防錆の金属製又はプラスチック製で図２に示す如く略コ字状に曲折形成した板状体からなり、その前板部２ａにその内方に向けて係止突起２ｂを曲折すると共に該前板部２ａの表面に爪片２ｃを突設した。
【００１１】
前記カバー部３は例えば熱可塑性を有するプラスチック製で、図３に示す如く前記係止部２が嵌込み可能な間隔を有する略コ字状に曲折形成した外側の板状体でその前板部３ａは略楕円形状に形成され、該前板部３ａには、後述するように前記カバー部３が引張られて前記係止部２に対して相対移動したときの前記爪片２ｃの移動方向にスリット３ｂが形成されていると共に、前記前板部３ａの前面に、複数の例えば１対の丸い棒状の突片３ｃを突設した。
【００１２】
前記表示部４は例えばポリプロピレン等のプラスチック製のフィルムからなり、図４に示す如く略楕円形に形成され、前記爪片２ｃ及び前記突片３ｃが貫通可能な透孔４ａ、４ｂがそれぞれ形成されている。
【００１３】
そして、前記カバー部３の前記略コ字状に曲折して形成された凹部３ｄ内に、前記係止部２を介入して摺動自在に装着した。このとき該係止部２を該凹部３ｄ内の奥の方まで介入しておく。そして前記カバー部３の前板部３ａの前面に前記表示４をその透孔４ａ、４ｂにおいて前記爪片２ｃ、前記突片３ｃをそれぞれ貫通して貼着してから図５の実線で示す如くこれら突片３ｃの頭部を茸のかさ状に膨出変形させて頭部３ｃ´を形成して図１の如きタグ１を形成する。
【００１４】
尚、表示部４の表面には予めアワビの産地等が印刷されている。
【００１５】
このように形成されたタグ１を図６の如くアワビの貝殻Ａの縁部に前記係止部２の略コ字状の凹部２ｄにおいて嵌め込み、該凹部２ｄ内に突出している係止突起２ｂにより前記タグ１を前記貝殻Ａの縁部に係止した。
【００１６】
このように適正な産地等の表示のある表示部４を貼着したタグ１が取付けられているアワビを出荷し、その出荷による運搬中において、例えばタグ１を適正な産地のアワビから外して他の産地のアワビに付けかえするために該タグ１のカバー部３を引張った場合に、該カバー部３のみが係止部２から移動して図６の点線で示す状態になり、この移動に伴って前記爪片２ｃが前記スリット３ｂ内を貫通状態で移動し、この移動により図７の黒く表示した部分Ｂの如く表示部４が該爪片２ｃにより破れる。従って該表示部４の破れによりタグ１の付けかえが判明する。
【００１７】
又この破れた表示部４をカバー部３の前板部３ａよりはがして新しい表示部４を該前板部３ａに貼りかえようとしても前記突片３ｃの頭部３ｃ´が既に膨出しているので、前記透孔４ｂを破くことなく表示部４をはがして新たな表示４を貼着することができない。
【産業上の利用可能性】
【００１８】
本発明はアワビの出荷からの流通経路において利用できる。
【図面の簡単な説明】
【００１９】
【図１】実施例１のタグの斜視図である。
【図２】該タグの係止部の斜視図である。
【図３】該タグのカバー部の斜視図である。
【図４】該タグの表示部の斜視図である。
【図５】該表示部の突片の個所の断面図である。
【図６】該タグのアワビの貝殻の縁部への取付状態の断面図である。
【図７】表示部が爪片により破れた個所を有する該タグの斜視図である。
【符号の説明】
【００２０】
１      タグ
２      係止部
２ａ    前板部
２ｂ    係止突起
２ｃ    爪片
３      カバー部
３ａ    前板部
３ｂ    スリット
３ｃ    突片
４      表示部
Ａ      アワビの貝殻
【図１】
2006078504.tif 000003
【図２】
2006078504.tif 000004
【図３】
2006078504.tif 000005
【図４】
2006078504.tif 000006
【図５】
2006078504.tif 000007
【図６】
2006078504.tif 000008
【図７】
2006078504.tif 000009